(57)【要約】      （修正有）【課題】斬新なデザインでありながら自動車キーの収納保持に優れ、安全確実で、さらに使い易さにも優れるという特徴のある自動車キーを収納保持できるキーケースを提供する。【解決手段】下端を開口部３とした略袋状のケース本体の上端縁の中央付近にベルト通過孔を形成し、このベルト通過孔に挿通保持されるベルト体２をケース本体１に取り付け、このベルト体２の下端縁に自動車キーを接続具を介して掛け止めし、このベルト体の上端縁を、前記ベルト通過孔の幅寸法よりも広幅となる拡幅部７に形成し、この拡幅部７内面側の位置に一方の止め具を、ケース本体１の外表面部の下部付近には他方の止め具を取り付け、前記両止め具を係脱自在の構成としたことを特徴とする。【選択図】図１
0003145460.tif 000002
【実用新案登録請求の範囲】
【請求項１】
下端を開口部とした略袋状のケース本体の上端縁の中央付近にベルト通過孔を形成し、このベルト通過孔に挿通保持されるベルト体をケース本体に取り付け、このベルト体の下端縁に自動車キーを接続具を介して掛け止めし、このベルト体の上端縁を、前記ベルト通過孔の幅寸法よりも広幅となる拡幅部に形成し、この拡幅部内面側の位置に一方の止め具を、前記ケース本体の外表面部の下部付近には他方の止め具を取り付け、前記両止め具を係脱自在の構成としたことを特徴とするキーケース。
【請求項２】
請求項１に記載のキーケースにおいて、ケース本体の外表面部に自動車メーカーのロゴを表示するロゴ表示部を備えていることを特徴とするキーケース。
【請求項３】
請求項１又は２に記載のキーケースにおいて、ケース本体の外表面部にカードを収納するためのカード収納ポケットを備えていることを特徴とするキーケース。
【考案の詳細な説明】
【技術分野】
【０００１】
本考案は、斬新なデザインでありながら、安全確実に、さらに体裁よく使いやすい状態で自動車などのキーを収納保持することができるキーケースに関する。
【背景技術】
【０００２】
最近の自動車キーは、従前のキーのような、鍵穴に差し込み、それを回転させて使用する形態のものとは異なり、携帯電話機で用いられている充電バッテリーのような薄板状の形態（一例として、１００ミリメートル×５０ミリメートル×１０ミリメートル程度）から構成されるものが主流となりつつあり、それに伴いその自動車キーを収納保持するキーケースも変更を強いられるようになってきた。
【０００３】
【特許文献１】特開平７−２０８０００号公報
【特許文献２】実用新案登録第３０１３３８２号公報
【考案の開示】
【考案が解決しようとする課題】
【０００４】
しかしながら、上記したような新型タイプの自動車キーに対応するキーケースは存在せず、そのため無理に従来のキーケースに新型の自動車キーを収納した場合には、どうしても収まりが悪く違和感を感じさせてしまうことから、使い勝手のよい新型のキーケースの出現が望まれていた。
従って、本考案の目的は、斬新なデザインでありながら自動車キーの収納保持に優れ、安全確実で、さらに使い易さにも優れるという特徴のある自動車キーを収納保持できるキーケースを提供することにある。
【課題を解決するための手段】
【０００５】
前記課題を解決するために、請求項１に記載の考案では、下端を開口部とした略袋状のケース本体の上端縁の中央付近にベルト通過孔を形成し、このベルト通過孔に挿通保持されるベルト体をケース本体に取り付け、このベルト体の下端縁に自動車キーを接続具を介して掛け止めし、このベルト体の上端縁を、前記ベルト通過孔の幅寸法よりも広幅となる拡幅部に形成し、この拡幅部内面側の位置に一方の止め具を、前記ケース本体の外表面部の下部付近には他方の止め具を取り付け、前記両止め具を係脱自在の構成としたことを特徴とするキーケースである。
【０００６】
上記の本考案に係るキーケースによれば、薄板状の形態からなる自動車キーを、ケース本体内に整然と収納保持することが可能となり、何らかの事情で自動車キーをケース本体の外部に引き出す必要が生じたときには、前記両止め具の係止状態を解除し、自動車キーをケース本体の下端の開口部より下方に引き出し、再度自動車キーをケース本体の内部に収納保持する際には、ベルト体を上方に引き上げ、その先端を折り返して両止め具を係止させるだけで、自動車キーの安定した収納保持が可能となる効果がある。
【０００７】
前記課題を解決するために、請求項２に記載の考案では、請求項１に記載のキーケースにおいて、ケース本体の外表面部に自動車メーカーのロゴを表示するロゴ表示部を備えていることを特徴とする。
【０００８】
上記の本考案に係るキーケースによれば、ロゴ表示部に特定の自動車メーカーのロゴを表示することが可能となり、自動車キーとその自動車メーカーとの関連が一目で理解できるので、そのキーケースの保有者及び自動車メーカーにとっては重要な目印になると共に、その自動車メーカーの製品を保有しているという自尊心満足させる効果がある。
【０００９】
前記課題を解決するために、請求項３に記載の考案では、請求項１又は２に記載のキーケースにおいて、ケース本体の外表面部にカードを収納するためのカード収納ポケットを備えていることを特徴とする。
【００１０】
上記の本考案に係るキーケースによれば、ケース本体に所有者が必要とするカードを一体的に保持することができ、自動車キーとカードの同時所持が可能となり、キーケースとしての利用価値が向上するという効果がある。
【考案の効果】
【００１１】
上記の請求項１に記載の考案によれば、薄板状の形態からなる自動車キーを、ケース本体内に整然と収納保持することが可能となり、何らかの事情で自動車キーをケース本体の外部に引き出す必要が生じたときには、前記両止め具の係止状態を解除し、自動車キーをケース本体の下端の開口部より下方に引き出し、再度自動車キーをケース本体の内部に収納保持する際には、ベルト体を上方に引き上げ、その先端を折り返して両止め具を係止させるだけで、自動車キーの安定した収納保持が可能となる効果がある。
【００１２】
請求項２に記載の考案によれば、ロゴ表示部に特定の自動車メーカーのロゴを表示することが可能となり、自動車キーとその自動車メーカーとの関連が一目で理解できるので、そのキーケースの保有者及び自動車メーカーにとっては重要な目印になると共に、その自動車メーカーの製品を保有しているという自尊心満足させる効果がある。
【００１３】
請求項３に記載の考案によれば、ケース本体に所有者が必要とするカードを一体的に保持することができ、自動車キーとカードの同時所持が可能となり、キーケースとしての利用価値が向上するという効果がある。
【考案を実施するための最良の形態】
【００１４】
以下添付図面に基づいて、本考案に係るキーケースの一実施形態を詳説する。
図１（Ａ）は、本考案に係るキーケースの実施形態の一例を示す正面図であり、同（Ｂ）は、同背面図である。図２は、本考案に係るキーケースのベルト体と自動車キーの係止状態を示す背面図である。また図３は、図１（Ａ）におけるＸ−Ｘ線断面図であり、図４は、図１（Ａ）の状態から、両止め具の係止状態を解除して、自動車キーをケース本体から下方に引き出した状態の背面図である。
【００１５】
図１及び図２に示されるごとく、本考案のキーケースは、ケース本体１及びベルト体２で構成され、ケース本体１及びベルト体２は、全体が皮革、合成皮革、布、合成樹脂などの適宜素材で形成される。
【００１６】
ケース本体１は略袋状を呈し、その下端は開口部３に形成されており、必要に応じて所定幅のマチが確保され、その上端縁の中央付近にはベルト通過孔４が形成されている。
【００１７】
このベルト通過孔４には、前記ベルト体２が挿通保持されており、このベルト体２の下端縁には接続具５が存在し、この接続具５を介して自動車キー６が取り外し自在に掛け止められている。
【００１８】
またベルト体２の上端縁は、前記ベルト通過孔４の幅寸法よりも広幅となる拡幅部７に形成されている。この拡幅部７の形状は、円形、楕円形、三角形、その他の多角形など、いかなる形状であってもかまわない。
【００１９】
この拡幅部７の内面側の位置には一方の止め具８ａ（例えば、ホックや面ファスナーなど）が取り付けられ，前記ケース本体１の外表面部の下部付近には他方の止め具８ｂが取り付けられており、この両止め具８ａ，８ｂを係脱自在の構成としている。
【００２０】
この両止め具８ａ，８ｂを係止状態にしておくと、ベルト体２の拡幅部７はケース本体１の外表面部の背面側の下部付近に安定的にとどまり、ベルト体２の下端縁の接続具５はケース本体１内の上端縁付近に位置し、自動車キー６は整然とケース本体１内に安定的に収納保持される。
【００２１】
自動車キー６の種類にもよるが、ケース本体１内に収納保持された状態のままで、自動車キー６を自動車のそばに位置させることで、自動車ドアーの開錠が可能となり、さらにはエンジンスタートも可能となるため、自動車ドアーの開錠やエンジンスタートに際しては、ケース本体１内から自動車キー６を取り出す必要はない。
【００２２】
ただし、特別な事情（例えば、自動車キーに備えたバッテリーの残量など）により、自動車キーを直接自動車の所定位置にセットさせる必要がある場合などには、前記の両止め具８ａ，８ｂの係止状態を解除して、ベルト体２をベルト通過孔４を通して下方に引っ張ると、ベルト体の下端に取り付けられている自動車キー６がケース本体１の開口部３を経由して、ケース本体１の外部に取り出されることになる。
【００２３】
ベルト体２を下方に引っ張った際には、ベルト体２の拡幅部７がベルト通過孔４位置に引っ掛かるために、その引っ掛かった状態以上にベルト体２が下方に引っ張られることはないので、ベルト体２がケース本体１から脱落することはない。
【００２４】
一方、ケース本体１の外部に取り出された自動車キー６を再度ケース本体１内に収納させるには、ベルト体２を全体的にケース本体１の上方に引き上げるが、その引き上げ時には接続具５又は自動車キー６がベルト通過孔４に引っ掛かるため、ベルト体２がベルト通過孔４から上方に抜け出す心配はない。
【００２５】
ついで、ケース本体１の外表面部には、必要に応じて自動車メーカーのロゴを表示するロゴ表示部９を形成することが可能であり、そこには自動車メーカーの名称、社章、自動車のペットネームなどを表示する。このロゴ表示部９の存在により、本考案のキーケースの所有者、すなわちその人が使用している自動車の特定が可能となるので、キーケースの所有者の目印となることは当然として、そのキーケースを目にする周囲の人々に、さりげなくキーケースの所有者が使用している自動車の種類などをＰＲすることもできることとなる。
【００２６】
また、ケース本体１の外表面部にカードを収納するためのカード収納ポケット１０を形成しておくと、自動車運転時に使用する可能性のある各種カードをキーケースと一体的に所持することができるので、カードの使用時にカードの存在位置を改めて確認しなくても、直ちにカードの取出しができることとなる。
【産業上の利用可能性】
【００２７】
本考案のキーケースは、静電気の発生に悩むすべての人々に利用されることができ、それをかぎと一緒に携帯することで利用範囲が著しく高まることとなる。
【図面の簡単な説明】
【００２８】
【図１】（Ａ）は、本考案に係るキーケースの実施形態の一例を示す正面図であり、同（Ｂ）は、同背面図である。
【図２】本考案に係るキーケースのベルト体と自動車キーの係止状態を示す背面図である。
【図３】図１（Ａ）におけるＸ−Ｘ線断面図である。
【図４】図１（Ａ）の状態から、両止め具の係止状態を解除して、自動車キーをケース本体から下方に引き出した状態の背面図である。
【符号の説明】
【００２９】
１ … ケース本体
２ … ベルト体
３ … 開口部
４ … ベルト通過孔
５ … 接続具
６ … 自動車キー
７ … 拡幅部
８ａ，８ｂ … 止め具
９ … ロゴ表示部
１０ … カード収納ポケット
【図１】
0003145460.tif 000003
【図２】
0003145460.tif 000004
【図３】
0003145460.tif 000005
【図４】
0003145460.tif 000006